(57)【要約】【課題】配線処理の合理化を図ると共に、利用価値を高めた配線用のケースを備えた遊技台を提供する。【解決手段】所定部品を取り付け可能に構成された配線収納ケース７００に配線７０１を収納し、この配線収納ケース７００に取り付けた前記所定部品および収納した配線７０１を、所定の方向から視認可能となるように構成し、前記所定部品をメダル補助収納ケース２０内のメダルを検出する接触端子７５１とし、この接触端子７５１の間に配線７０１を収納する収納樋７４０を設けた。【選択図】図７
2011212471.tif 000002
【特許請求の範囲】
【請求項１】
メダルを収納する収納庫と、電気装置の配線を収納する配線収納ケースと、を備えた遊技台であって、
前記収納庫は、遊技台本体を構成する底板の上に着脱自在に取り付けられ、
前記配線収納ケースは、前記収納庫内のメダルを検知する検知手段を構成するケースであり、当該ケースの所定位置に開設した取付ネジ孔に取付ネジを通し、該取付ネジを前記遊技台本体を構成している背板の固定孔にねじ込むことにより、前記遊技台本体に対して固定され、
前記配線収納ケースを構成する前板部と、該前板部と前記遊技台本体の背板との間の空間を区画する壁板部とを、透光性を有する材質で形成し、
前記前板部は、前記検知手段を構成する検知部材が取付可能に構成され、
前記壁板部は、前記配線収納ケースの横幅方向の略中央部分に上下方向に延在し、下方で前記背板の中心線方向に向けて曲ることにより前記空間を区画し、
前記検知部材は、導電性を有する金属で構成された接触端子であり、該接触端子の基端部分にはリード線が圧着端子を介して接続され、
前記リード線は、配線として前記前板部の裏側であって前記壁板部で区画された前記空間に収納されていることを特徴とする遊技台。
【請求項２】
請求項１に記載の遊技台であって、
前記配線収納ケースに設けた壁板部の奥行を、略１５〜２０ｍｍとしたことを特徴とする遊技台。
【発明の詳細な説明】
【技術分野】
【０００１】
本発明は、スロットマシン（パチスロ）、パチンコ機に代表される遊技台に関し、詳しくは、配線処理の合理化が可能な遊技台に関するものである。
【背景技術】
【０００２】
従来、スロットマシン等の遊技台は、例えば、リールユニット、メダルを払い出すホッパーユニット、各装置に電力を供給する電源ボックス等が収容される本体（筐体）と、この本体の前面側に開閉可能に設けられる前面扉と、を備えている。
【０００３】
そして、各装置は、配線によって電気的に接続されている。すなわち、本体（筐体）に配設或いは収設した複数種類の電気装置間の通信を配線ケーブルによって行なっている。また、最近は、斬新な遊技演出を行なうため、或いは不正遊技を防止するため、などに起因して本体内部に取り付けられる装置が、数・大きさ共に増大している。
【０００４】
このため、数多くの配線が本体内部の狭い空間に存在し、これらの配線が錯綜していた。そこで、従来の遊技台においては、各装置の組み付け・組み外しが困難になるという問題点があった。
【０００５】
そこで、本体にケーブルダクトを設け、このケーブルダクト内に配線を収納する遊技台が開示されている（特許文献１）。
【先行技術文献】
【特許文献】
【０００６】
【特許文献１】特開２００４−４９６６７号公報
【発明の概要】
【発明が解決しようとする課題】
【０００７】
しかしながら、従来のケーブルダクトを設けた遊技台においては、部品点数の増加に伴うコストアップと、ケース内に配線を収納することで、配線に不正機器が取り付けられても、発見が困難になるという問題点があった。
【０００８】
本発明は、上記のような問題点に鑑み、配線処理の合理化を図ると共に、利用価値を高めた配線用のケースを備えた遊技台を提供することを目的とする。
【課題を解決するための手段】
【０００９】
前記課題を解決するために、請求項１に係る発明は、メダルを収納する収納庫と、電気装置の配線を収納する配線収納ケースと、を備えた遊技台であって、前記収納庫は、遊技台本体を構成する底板の上に着脱自在に取り付けられ、前記配線収納ケースは、前記収納庫内のメダルを検知する検知手段を構成するケースであり、当該ケースの所定位置に開設した取付ネジ孔に取付ネジを通し、該取付ネジを前記遊技台本体を構成している背板の固定孔にねじ込むことにより、前記遊技台本体に対して固定され、前記配線収納ケースを構成する前板部と、該前板部と前記遊技台本体の背板との間の空間を区画する壁板部とを、透光性を有する材質で形成し、前記前板部は、前記検知手段を構成する検知部材が取付可能に構成され、前記壁板部は、前記配線収納ケースの横幅方向の略中央部分に上下方向に延在し、下方で前記背板の中心線方向に向けて曲ることにより前記空間を区画し、前記検知部材は、導電性を有する金属で構成された接触端子であり、該接触端子の基端部分にはリード線が圧着端子を介して接続され、前記リード線は、配線として前記前板部の裏側であって前記壁板部で区画された前記空間に収納されていることを特徴とする。
【００１０】
請求項２に係る発明は、請求項１に記載の遊技台であって、前記配線収納ケースに設けた壁板部の奥行を、略１５〜２０ｍｍとしたことを特徴とする。
【発明の効果】
【００１１】
請求項１に係る発明によれば、部品点数を増加させることなく、配線収納ケースを利用して所望の部品を取り付けることができる。また、配線収納ケースにより配線処理を行えるので、本体内部に配線が錯綜することがない。
【００１２】
請求項１に係る発明によれば、取り付けた所定部品を視認可能であり、万が一不正な改造が行なわれた場合に、容易に発見することができ、不正遊技を未然に防止することができる。
【００１３】
請求項１に係る発明によれば、何処にでも取付可能な配線収納ケースを介して検知部材を取り付けることができるので、被検知物に対応した多様な検知手段を構成することが可能になり、設計等が容易になる。
【００１４】
請求項１に係る発明によれば、配線を配線収納ケース内に収納して合理的な配線処理が可能になる。また、配線のためのスペースを別途に確保する必要がない。
【００１５】
請求項１に係る発明によれば、メダルを検知する検知手段、およびこのための配線を、合理的に配置することができ、省スペース化が可能である。また、検知手段の取付作業も容易になるので、作業性が向上する。
【００１６】
請求項１に係る発明によれば、配線収納ケースに収納した配線を、外部から視認可能であり、不正な改造等が付加された場合に、これを容易に発見することができるので、不正遊技に対する安全性が高い。また、不要な短絡等を防止することが可能であるので、安定した動作を得ることができる。
【００１７】
請求項１に係る発明によれば、配線の収納作業が容易になり、一旦収納した配線を確実に保持可能である。したがって、配線が不用意に移動することもなく、合理的な配線処理と相俟って、実用的価値の高い遊技台を提供することができる。
【図面の簡単な説明】
【００１８】
【図１】遊技台の一例であるスロットマシンの斜視図である。
【図２】スロットマシンの主制御部の回路ブロック図である。
【図３】スロットマシンの副制御部の回路ブロック図である。
【図４】主制御部によるメイン処理を示すフローチャートである。
【図５】スロットマシンの前面扉を開いた状態の斜視図である。
【図６】メダル払出装置を示し、（ａ）は斜視図、（ｂ）は一部を欠截した斜視図である。
【図７】メダル補助収納ケースと配線収納ケースとキャビネットとの関係を示し、（ａ）はメダル補助収納ケースをキャビネットに設置した状態の斜視図、（ｂ）はメダル補助収納ケースをキャビネットから取り外す状態の斜視図、（ｃ）は配線収納ケースをキャビネットに取り付ける状態の斜視図である。
【図８】配線収納ケースの分解斜視図である。
【図９】配線収納ケースの斜視図であって、（ａ）は前面側から見た斜視図、（ｂ）は背面側から見た斜視図である。
【図１０】配線収納ケースの五面図であって、（ａ）は平面図、（ｂ）は正面図、（ｃ）は底面図、（ｄ）は背面図、（ｅ）は右側面図である。
【図１１】配線を収納した状態の配線収納ケースを示し、（ａ）はＥ−Ｅ線に沿った断面図、（ｂ）は背面図、（ｃ）はＤ−Ｄ線に沿った断面図である。
【図１２】配線収納ケースの他の実施例を示す説明図である。
【図１３】電気装置の一例としてのリールユニットの斜視図である。
【発明を実施するための形態】
【００１９】
以下、本発明の実施例について図面を参照して説明する。図１は本発明の一実施例に係るスロットマシン１００の斜視図である。
【００２０】
＜全体構成＞
まず、図１を用いて、本実施例に係るスロットマシン１００の全体構成について説明する。なお、同図はスロットマシン１００の外観斜視図を示したものである。
【００２１】
スロットマシン１００は、略箱状の本体１０１（以下、キャビネット１０１ということがある）と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。各図柄は帯状部材に等間隔で適当数印刷され、この帯状部材が所定の円形枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。なお、本実施例では、３個のリールをスロットマシン１００の中央内部に備えているが、リールの数やリールの設置位置はこれに限定されるものではない。
【００２２】
また、図柄表示窓１１３の外枠には、点滅や点灯などの点灯制御によって、後述する有効ラインや入賞ラインを報知するためのライン表示ＬＥＤ（図示省略）が配置されている。
【００２３】
さらに、スロットマシン１００内部において各々のリール１１０乃至１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０乃至１１２を停止させる。
【００２４】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２５】
スタートランプ１２１は、リール１１０乃至１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００２６】
メダル投入ボタン１３０、１３１は、スロットマシン１００に電子的に貯留されているメダルを所定の枚数分投入するためのボタンである。本実施例においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０又は１３１により電子的に投入することもできるし、メダル投入口１３４から実際のメダルを投入することもできる。なお、メダル投入口１３４は、投入されるメダルの径によりメダルを選別可能に構成されている。具体的には、スロットマシン１００が２５パイメダルを使用して遊技する仕様の場合、２５パイメダルは通過可能であって、３０パイメダルが通過することがないような投入口形状とする。精算ボタン１３２は、スロットマシン１００に電子的に貯留されたメダル及びベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００２７】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０乃至１１２が回転し、遊技が開始される。ストップボタン１３７乃至１３９は、スタートレバー１３５の操作によって回転を開始したリール１１０乃至１１２に対する停止操作を行うためのボタンであり、各リール１１０乃至１１２に対応して設けられている。そして、いずれかのストップボタン１３７乃至１３９を操作すると対応するいずれかのリール１１０乃至１１２が停止することになる。
【００２８】
ドアキー孔１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施例では発光可能な受皿を採用している。
【００２９】
上部ランプ１５０、サイドランプ１５１、中央ランプ１５２、腰部ランプ１５３、下部ランプ１５４は、遊技を盛り上げるための装飾用のランプである。演出装置１９０は、例えば開閉自在な扉（シャッター）１６３が前面に取り付けられた液晶表示装置１５７を含み、この演出装置１９０には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
【００３０】
＜制御部＞
次に、図２および図３を用いて、このスロットマシン１００の制御部の回路構成について詳細に説明する。
【００３１】
スロットマシン１００の制御部は、大別すると、遊技の中枢部分を制御する主制御部３００と、主制御部３００より送信されたコマンドに応じて各種機器を制御する副制御部４００と、によって構成されている。
【００３２】
＜主制御部＞
まず、図２を用いて、スロットマシン１００の主制御部３００について説明する。なお、同図は主制御部３００の回路ブロック図を示したものである。
【００３３】
主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００３４】
また、ＣＰＵ３１０には、センサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００３５】
さらに、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、スタートレバーセンサ３２１、ストップボタンセンサ３２２、メダル投入ボタンセンサ３２３、精算スイッチセンサ３２４、メダル払い出しセンサ３２６、電源判定回路３２７の状態を検出し、各センサを監視している。
【００３６】
メダル投入センサ３２０は、メダル投入口１３４に投入されたメダルを検出するためのセンサである。スタートレバーセンサ３２１はスタートレバー１３５の操作を検出するためのセンサである。ストップボタンセンサ３２２はストップボタン１３７乃至１３９のいずれかが押された場合、どのストップボタンが押されたかを検出するためのセンサである。メダル投入ボタンセンサ３２３はメダル投入ボタン１３０、１３１のいずれかが押下された場合、どのメダル投入ボタンが押されたかを検出するためのセンサである。精算スイッチセンサ３２４は、精算ボタン１３２に設けられており、精算ボタン１３２が一回押されると、貯留されているメダル及びベットされているメダルが精算されて払い出されることになる。メダル払い出しセンサ３２６は、払い出されるメダルを検出するためのセンサである。電源判定回路３２７は、スロットマシン１００に供給される電源の遮断を検出するための回路である。
【００３７】
ＣＰＵ３１０には、更に、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０乃至１１２の取付台の所定位置に設置されており、リール１１０乃至１１２に設けた遮光片がこのインデックスセンサ３２５を通過するたびにハイレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、ホッパー（バケットにたまっているメダルをメダル払出口１５５から払出すための装置。）のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技情報表示器１２６、貯留枚数表示器１２７等）が接続されている。
【００３８】
また、ＣＰＵ３１０には、乱数発生回路３１７がデータバスを介して接続されている。乱数発生回路３１７は、水晶発振器３１１及び水晶発振器３１６から発振されるクロックに基づいて、一定の範囲内で値をインクリメントし、そのカウント値をＣＰＵ３１０に出力することのできるインクリメントカウンタであり、後述する入賞役の内部抽選をはじめ各種抽選処理に使用される。ＣＰＵ３１０のデータバスには、副制御部４００にコマンドを送信するための出力インタフェース３７１が接続されている。主制御部３００と副制御部４００との情報通信は一方向の通信であり、主制御部３００は副制御部４００へコマンドを送信するが、副制御部４００から主制御部３００へ何らかのコマンド等を送信することはできない。
【００３９】
＜副制御部＞
次に、図３を用いて、スロットマシン１００の副制御部４００について説明する。なお、同図は副制御部４００の回路ブロック図を示したものである。
【００４０】
副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。
【００４１】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００４２】
また、ＣＰＵ４１０には、副制御部４００の全体を制御するための命令及びデータ、ライン表示ＬＥＤの点灯パターンや各種表示器を制御するためのデータが記憶されたＲＯＭ４１２や、データ等を一時的に保存するためのＲＡＭ４１３が各バスを介して接続されている。
【００４３】
さらに、ＣＰＵ４１０には、外部の信号を送受信するための入出力インタフェース４６０が接続されており、入出力インタフェース４６０には、図柄表示窓１１３の外枠に配設され、点滅や点灯などの点灯制御によって有効ラインや入賞ラインを報知するためのライン表示ＬＥＤ４２０、前面扉１０２の開閉を検出するための扉センサ４２１、ＲＡＭ４１３のデータをクリアにするためのリセットスイッチ４２２が接続されている。
【００４４】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、時計ＩＣ４２３、７セグメント表示器４４０への信号を出力するための出力インタフェース４７２等が接続されている。
【００４５】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を遊技店の係員等が確認できるようになっている。更に、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、払出口ストロボ１７１を制御する。タイトルパネルランプ１７０は、タイトルパネル１６２を照明するランプであり、払出口ストロボ１７１は、メダル払出口１５５の内側に設置されたストロボタイプのランプである。なお、ＣＰＵ４１０は、扉・液晶画面制御部４９０への信号送信は、デマルチプレクサ４１９を介して実施する。扉・液晶画面制御部４９０は、液晶表示装置１５７及び扉１６３を制御する制御部である。
【００４６】
＜遊技の基本的制御＞
図４は、本実施例のスロットマシン１００における遊技の基本的制御を示すフローチャートである。
遊技の基本的制御は、ＭａｉｎＣＰＵ３１０が中心になって行い、電源断等を検知しないかぎり、同図の処理を繰り返し実行する。
【００４７】
先ず、Ｓ１０１では、メダル投入処理として、メダルの投入数に応じた入賞ライン表示ランプ１２０の点灯等を行う。なお、メダル投入ボタン１３０，１３１によるクレジットによる投入も、メダル投入口ブロックのメダル投入口１３４から、実際のメダルを投入する場合も同等に処理する。
【００４８】
Ｓ１０２では、遊技のスタート操作に関する処理を行う。スタートレバー１３５が操作された場合、投入されたメダル枚数を確定する。次いで、Ｓ１０３では、確定されたメダル枚数に基づいて、有効な入賞ライン１１４を確定する。
【００４９】
Ｓ１０４では、乱数発生器３１１で発生させた乱数値を取得する。
Ｓ１０５では、ＲＯＭ３１２に格納されている抽選データテーブルと、Ｓ１０４で取得した乱数値を用いて、入賞役の内部当選の当否を定める内部抽選を行う。なお、抽選データテーブルには、あらかじめ、ＢＢ、ＲＢ、小役等の抽選確率に応じたデータが格納されている。
【００５０】
Ｓ１０６では、例えば、演出装置１９０においてどのような演出を行うか決めたり、ゲームを盛り上げるためキャラクター等を登場させる、演出抽選処理を行う。
【００５１】
Ｓ１０７では、Ｓ１０４で取得した乱数値を用いて、リール停止制御テーブルを選択し、各リール１１０〜１１２の回転を開始させる。
【００５２】
Ｓ１０８では、ストップボタン１３７〜１３９の受付が可能になり、いずれかのストップボタンが押されると、押されたストップボタンに対応するリールを、Ｓ１０５で選択したリール停止制御テーブルに基づいて停止させる。
【００５３】
Ｓ１０９では、入賞判定を行う。ここでは、有効化された入賞ライン１１４上に、入賞役に対応する絵柄組合せが表示された場合にその入賞役に入賞したと判定する。例えば、有効化された入賞ライン１１４上に、例えば「ベル−ベル−ベル」が揃っていたならば、ベル入賞と判定する。また、例えば「青７−青７−青７」が揃っていたならば、ＢＢ入賞と判定する。
【００５４】
Ｓ１１０では、払い出しのある何らかの入賞役に入賞していれば、その入賞役に対応する枚数のメダルを払い出す。
【００５５】
Ｓ１１１では、遊技状態を制御する。例えば、ＢＢ入賞時には、次の遊技からＢＢゲームが開始されるように準備をし、ＢＢ終了時には、次の遊技から通常の遊技が開始されるように準備させる。
【００５６】
＜本体内部構造＞
次に、本実施例のスロットマシン１００の内部構成について簡単に説明する。図５は、スロットマシン１００の内部構成の概略を示す前面扉１０２を開いた斜視図である。本体としてのキャビネット１０１の内部には、主基板収納ケース２１０、副制御基板収納ケース２２０及びリールユニット１８５や、図示を省略した電源ボックス、メダル払出装置（いわゆるホッパー）１８０、メダル補助収納ケース２４０、中央スピーカユニット、外部中継端子板等の諸装置が配設されている。
【００５７】
リールユニット１８５は、樹脂製のケース部材２２１内にステッピングモータで駆動されるリール１１０乃至１１２を個別に着脱可能に取り付けて構成している。そして、このリールユニット１８５は、ケース部材２２１により３本のリールをユニット化し、キャビネット１０１に設けたリールユニット載置台２７８に対する着脱を容易に行えるように構成している。また、リールユニット載置台２７８の下部には、音通路２７７が取り付けられ、前面扉１０２がキャビネット１０１に閉じられた状態で前面扉１０２に取付られた音通路２６８と組み合わさるように構成している。中央スピーカユニットから出力された音は、この音通路２７７および音通路２６８を通過して外部に出力される。
【００５８】
キャビネット１０１の内部には、透明な樹脂ケースからなる主基板収納ケース２１０が、キャビネット１０１を構成している背板１０１１の上部に取り付けられている。この主基板収納ケース２１０の内部空間には、スロットマシン１００の全体的な制御を行う主制御部３００を構成する電気部品を実装した主制御基板が収納されている。
【００５９】
また、図示を省略した電源ボックスは、キャビネット１０１の後板の壁面に装着され、金属製ケースの内部に、スロットマシン１００の諸装置へ必要な電力を供給するための電源基板が収納されている。
【００６０】
さらに、キャビネット１０１の内部には、メダルを払い出すためのメダル払出装置１８０が配設してある。メダル払出装置１８０は、ＤＣモーターで駆動されメダルを１枚ずつ払い出すと共に、メダルを払い出す毎に検出信号を出力する払出装置本体１８２と、払出装置本体１８２にメダルを供給するとともにメダルを蓄積するメダルタンク１８１とで構成されている。そして、メダル払出装置１８０の横には、メダル補助収納ケース２４０が置かれており、前記メダル払出装置１８０のメダルタンク１８１がメダルでいっぱいになると、余分なメダルは流れ落ち、このメダル補助収納ケース２４０内に蓄積される。
【００６１】
そして、前記主基板収納ケース２１０及びリール１１０乃至１１２を備えるリールユニット１８５の側方、即ち向って左側の側板には、副制御基板を収納した副基板収納ケース２２０が配設してある。
【００６２】
一方、キャビネット１０１の側板にヒンジ装置２７６を介して蝶着された前面扉１０２には、演出装置２９０、この演出装置を制御する演出制御基板を収納した演出制御基板収納ケース２７４、上部スピーカ２７２、図柄表示窓１１３を有するリールパネル２７０、投入されたメダルを選別するためのメダルセレクタ１７０、このメダルセレクタ１７０が不正なメダル等をメダル受皿１５６に落下させる際にメダルが通過する通路２６６等が設けてある。メダルセレクタ１７０は、さらに、投入されたメダルをメダルタンク１８１に案内する通路６４１を備えている。
【００６３】
＜メダル払出装置＞
図６はメダル払出装置１８０の説明図であり、（ａ）はメダル払出装置１８０の斜視図で、（ｂ）はメダル払出装置１８０の一部を欠截した断面斜視図である。このメダル払出装置１８０の概略は、メダルを蓄積するメダルタンク１８１と、メダルをメダル払出口１８１１へ導く案内手段と、この案内手段を駆動させる駆動手段と、を備えている。
【００６４】
すなわち、メダル払出装置１８０が備えるメダルを蓄積するメダルタンク１８１は、上方が開口すると共に、底面１８１２が傾斜する箱状であって、底面１８１２にはメダルを案内手段へ導く導出口（図示せず）を有している。また、メダルをメダル払出口１８１１へ導く案内手段は、メダルが一枚ずつ嵌入する嵌入孔１８２３を備えるディスク１８２１であって、このディスク１８２１がモータ１８３１を駆動源として回転することにより、嵌入孔１８２３に嵌入しているメダルを、メダル払出口１８１１から排出させる。
【００６５】
更に、メダルタンク１８１の側面には、当該メダルタンク１８１に収容しきれなくなったメダルを、メダル補助収納ケース２４０に排出するための排出口１８１３が開設してある。なお、モータ１８３１やディスク１８２１はフレーム１８１４に組み付けられており、ディスク１８２１を回転可能に支持している払出装置本体１８２も、傾斜状に位置しており、ディスク１８２１もまた傾斜面において回転するように構成してある。もちろん、ディスク１８２１を水平面において回転するように構成してもよい。また、メダルが一枚ずつ嵌入する嵌入孔１８２３は、切欠部であってもよい。
【００６６】
＜メダル補助収納ケース＞
メダルタンク１８１から溢れたメダルを収納するメダル補助収納ケース２４０は、図５や図７に示すように、上方が開口するやや下すぼみの箱体であって、キャビネット１０１に対して着脱自在に取り付けられている。すなわち、メダルタンク１８１の排出口１８１３から排出されたメダルが、上方の開口部２４１に落下してメダル補助収納ケース２４０の内部に溜まるようになっている。また、このメダル補助収納ケース２４０は、キャビネット１０１を構成している底板１０１２の上に載置されており、前面扉１０２を開いて取り出せるようになっている。
【００６７】
更に、図示の実施例においては、このメダル補助収納ケース２４０には、内部に溜まったメダルの貯留量、言い換えると、所定の容量までメダルが溜まったか否かを検出するための検知手段が設けてある。なお、この検知手段については後述するが、この検知手段をメダル補助収納ケース２４０の内部に挿通させるための挿通口２４２が後壁部２４３に開設してある。
【００６８】
＜配線収納ケース＞
ところで、最近のスロットマシン１００は、遊技者の興味を引き付けると共に遊技者を楽しませるために、斬新で凝った遊技演出を行なうように、種々の電気装置を利用している。そして、これらの電気装置をスロットマシン１００の内部、すなわちキャビネット１０１の内部ばかりではなく前面扉１０２の裏面側に適宜配置している。また、これらの各電気装置と、主制御部３００或いは副制御部４００との間を配線によって接続している。更に、主制御部３００と副制御部４００との間、必要に応じて各電気装置の相互間も、配線によって接続している。すなわち、複数種類の電気装置間の通信を配線により行なっている。
【００６９】
したがって、従来のスロットマシン１００においては、各配線が狭い空間内で錯綜していた。このため、不正な機器の取り付けを許したり、取り付けられた不正な機器の発見が困難になっているのが現状であった。また、配線を保護するためのカバー部材を設けるときは、部品点数が増加したり、このカバー部材が障害となって、他の装置や部品の取り付けに支障が生じるなどの問題点があった。
【００７０】
そこで、この実施例に係る遊技台、すなわちスロットマシン１００においては、各電気装置の配線７０１を収納する配線収納ケース７００が設けてあり、この配線収納ケース７００に、後述する所定部品を取り付けるように構成してある。
【００７１】
次に、配線収納ケース７００の一例を、図示の実施例について説明する。図８は配線収納ケース７００の一実施例を示す分解斜視図である。この実施例における配線収納ケース７００には、後述する検知手段が設けてある。図９もまた配線収納ケース７００の斜視図であり、（ａ）は前面側から見た斜視図、（ｂ）は背面側から見た斜視図である。図１０は、配線収納ケース７００の五面図であり、（ａ）は平面図、（ｂ）は正面図、（ｃ）は底面図、（ｄ）は背面図、（ｅ）は右側面図、をそれぞれ示している。図１１は、配線７０１を収納した状態の配線収納ケース７００を示し、（ａ）はＥ−Ｅ線に沿った断面図、（ｂ）は正面図、（ｃ）はＤ−Ｄ線に沿った断面図である。
【００７２】
配線収納ケース７００は、図５および図７に示すように、キャビネット１０１の奥、右側下隅（方向は、スロットマシン１００を正面から見た場合、以下同じ）に、位置決め着脱手段によって位置決めし、キャビネット１０１の背板１０１１に当接させて、着脱可能に取り付けてある。
【００７３】
そこで、図示の実施例においては、配線収納ケース７００の底板部７１１に設けた一対の突起７１１ａを、キャビネット１０１の底板１０１２に開設した一対の穴部１０１２ａに嵌合させている。これによって、配線収納ケース７００の位置決めを行なうと共に、キャビネット１０１の背板１０１１に当接させた状態で、配線収納ケース７００の所定位置に開設した取付ネジ孔７２１１に、取付ネジ７０４を通し、この取付ネジ７０４を、キャビネット１０１を構成している背板１０１１の固定孔１０１１ａにねじ込んで、配線収納ケース７００をキャビネット１０１に対して固定するようになっている。
【００７４】
配線収納ケース７００は、キャビネット１０１の背板１０１１に当接する背板部７２２と、この背板部７２２に平行する前板部７２１と、この前板部７２１と背板部７２２との間に介在している壁板部７２３とを備え、前板部７２１と背板部７２２との間は、壁板部７２３で区画された空間になっている。また、背板部７２２および前板部７２１の適宜位置は開放している。言い換えると、前板部７２１が開放する凹所と背板部７２２側が開放する凹所とが、適宜な位置に配置されている。なお、前板部７２１と背板部７２２との間隔、即ち壁板部７２３の奥行は、配線７０１を収納するのに必要にして十分な間隔、例えば１５〜２０ｍｍ程度でよい。
【００７５】
配線収納ケース７００には、所定部品の取り付けが可能になるように構成されている。すなわち、図示の実施例では、前板部７２１の一部を若干陥没させ、取付部７３０が形成してある。この取付部７３０には、所定部品として、例えば、後述する検知手段を構成する検知部材を取り付ける。
【００７６】
また、この配線収納ケース７００は、透光性を有する材質で形成するとよい。これは、取り付けた所定部品が視認可能なように、言い換えると、所定の方向から所定部品を見た場合に、通常は死角に入ってしまい、この所定部品を視認できないような場合であっても、透光性を有する材質で形成することにより、死角が生じないようにするためである。しかも、透光性を有する材質で配線収納ケース７００を形成するときは、後述する収納樋７４０に収納した配線７０１も、外部から視認可能になる。
【００７７】
一方、スロットマシン１００には、種々の電気装置が配設され、これらの電気装置には、電源ケーブルや制御ケーブル等の配線７０１が接続されている。そこで、これらの電気装置の内の一つ、或いは複数の装置を特定装置とするとき、この特定装置の配線７０１を、配線収納ケース７００に収納することができる。すなわち、配線収納ケース７００に収納樋７４０を形成し、この収納樋７４０に配線７０１を収納するのである。
【００７８】
そこで、図示の実施例における配線収納ケース７００では、横幅方向のほゞ中央部分に、上端面が開口すると共に上下方向に延在し、下方部分で左側に曲り、更に下端面が左側に向って開口する、ほゞＪ字状の収納樋７４０が形成してある。そして、この収納樋７４０は、前面側が所定の一部分を除いて閉塞され、背面側が開口している。言い換えると、収納樋７４０は、配線収納ケース７００の前板部７２１から背板部７２２へ向けて、壁板部７２３を起立させることにより区画した、配線収納ケース７００の一つの部位である。
【００７９】
このため、収納樋７４０は、前面側を含めてほゞ閉塞された空間になるので、この収納樋７４０に収納した配線７０１に対して、前面側からアクセスすることはきわめて困難となる。したがって、不正な機器の取り付けを確実に防止することができる。
【００８０】
一方、特定装置としては、例えば、この配線収納ケース７００に隣接して配設されているメダル払出装置１８０がある。メダル払出装置１８０は、本体１０１の背板１０１１の上部に取り付けられた主制御部３００に配線７０１によって接続された装置であって、本体１０１内部では主制御部３００から最も離れた位置（底板１０１２の上）に配設された装置である。そのため、主制御部３００とメダル払出装置１８０との間に取り付けられる配線７０１は、本体１０１の内部では最も長いものとなり、適当な配線処理を行うことにより、本体内部の狭い空間で配線が錯綜することを効果的に防止できる。そこで、このメダル払出装置１８０に接続する、制御ケーブル等の複数のケーブルをひとまとめにした配線７０１、すなわち、いわゆるハーネスを、配線収納ケース７００に形成した収納樋７４０に収納するのである。なお、ハーネスの先端にはコネクタ７０２が設けてあり、このコネクタ７０２をメダル払出装置１８０の図示していないコネクタ受けに接続するようになっている。
【００８１】
また、例えば図１１に示す実施例では、収納樋７４０の内部に、２つの係止部７４１を設け、これらの係止部７４１に配線７０１、すなわちハーネスを係止させている。詳しく述べれば、第１の係止部７４１−１が、収納樋７４０の直線部分の上端付近に、四分の一円弧状に設けられ、第２の係止部７４１−２が、収納樋７４０の屈曲部分にＬ字状に設けられている。そして、これらの第１の係止部７４１−１および第２の係止部７４１−２は、収納樋７４０の壁板部７２３と一体に形成されており、この収納樋７４０の前面側に、これらの係止部７４１−１、７４１−２に対応する切欠口７４２−１、７４２−２が、成型時の逃げとして開口している。
【００８２】
更に、第１の係止部７４１−１は、当該係止部７４１−１の先端と、収納樋７４０の側壁を形成する壁板部７２３との隙間の間隔を狭くすることにより、一旦係止させた配線７０１がこの隙間から容易に抜けないようになっている。すなわち、平らなハーネスは、ほゞ９０度撚って厚さ方向に向けることにより、前記した第１の係止部７４１−１の先端と壁板部７２３との間に設けた隙間に挿通可能になる。このため、この第１の係止部７４１に配線７０１であるハーネスを係止させた後は、このハーネスを再び撚って前記した隙間に通すことがきわめて困難になる。
【００８３】
このように収納樋７４０を構成しておけば、配線収納ケース７００に形成した収納樋７４０の内部にハーネスを確実に収納することができる。
【００８４】
次に、所定部品の一例について説明する。図示の実施例では、所定部品を、収納庫内のメダルを検知するための検知手段としている。すなわち、この実施例では、メダルを収納する収納庫を設け、この収納庫に溜まったメダルを検知する検知手段を、配線収納ケース７００に設けている。
【００８５】
具体的には、収納庫は、メダル払出装置１８０のメダルタンク１８１に収納しきれなくなったメダルを収納しておくメダル補助収納ケース２４０である。また、検知手段は、収納したメダルに接触することで、電気的な導通を得るための一対の接触端子７５１である。したがって、メダル補助収納ケース２４０内のメダルが増えて、検知手段を形成している一対の接触端子７５１に接触すると、両接触端子７５１の間が導通することになる。そこで、この導通に基づいて、メダル補助収納ケース２４０がほゞ満杯になった場合に、もうこれ以上メダルの貯留できないなどの、警報を発するようにするとよい。
【００８６】
この検知手段、すなわち一対の接触端子７５１は、図示の実施例において、収納樋７４０の左右に配置されている。また、一方の接触端子７５１を第１検知部材、他方の接触端子７５１を第２検知部材ということもできる。そして、第１検知部材と第２検知部材とにより、両検知部材との間に存在するメダルを検知することができる。
【００８７】
また、第１検知部材すなわち一方の接触端子７５１と、第２検知部材すなわち他方の接触端子７５１とは、配線収納ケース７００の前板部７２１に、取付ネジ７５２によって取り付けられている。そこで、図示の実施例では、取付ネジ７５２の頭が配線収納ケース７００の前端面から突出しないように、或いは不要な短絡が発生しないように、若干凹陥させた取付面部７３１を形成し、この取付面部７３１に前記した接触端子７５１をネジ止めするように構成している。言い換えると、この実施例における配線収納ケース７００は、収納樋７４０を設けた面部と異なる面部に、第１検知部材を取り付ける第１取付部７３０−１、および第２検知部材を取り付ける第２取付部７３０−２を設けているといえる。
【００８８】
具体的には、収納樋７４０の底部となっている前端面から凹陥する位置に、前端面と平行する取付面部７３１を形成し、この取付面部７３１を収納樋７４０の直線部分の左右に配置することにより、第１取付部７３０−１および第２取付部７３０−２を設けている。なお、この第１取付部７３０−１および第２取付部７３０−２には、ネジ孔７３２を設け、このネジ孔７３２に取付ネジ７５２をねじ込むことによって、検知部材としての接触端子７５１を取り付けている。
【００８９】
接触端子７５１は、導電性を有する金属板をほゞＬ字状に屈曲させた部材であって、基端部分にはリード線７５３が圧着端子７５４を介して前記した取付ネジ７５２により接続してある。なお、このリード線７５３は、例えば図示していない中継端子板を経由して、或いは直接に、制御装置に接続する。そして、メダル補助収納ケース２４０が満杯になったときに、前記した警報等を発するように構成するとよい。
【００９０】
また、図示の実施例では、前記したリード線７５３を係止させる係止腕７３３が、同じく収納樋７４０の左右に、若干後退した位置に横向きＬ字状に突設してある。このため、前記リード線７５３が他の部材を取り付ける際の障害になることはない。そして、このリード線７５３を配線７０１の一種とみなして、収納樋７４０に通すことも可能である。
【００９１】
図１２（ａ）は、配線収納ケース７００の他の実施例を示す概略正面図およびその断面図である。すなわち、この実施例においては、仕切り板７４４を設けることにより２条の収納樋７４０−１、７４０−２を形成しており、第１の収納樋７４０−１には、メダル払出装置１８０用の配線７０１ａを収納し、第２の収納樋７４０−２には、電源装置用の配線７０１ｂを収納している。なお、これらの配線７０１ａ、７０１ｂは、両者共に、配線収納ケース７００の前板部７２１の内側を通している。もちろん、このように配線７０１を、配線収納ケース７００の内部に収納した場合であっても、透光性を有する材質で形成してあるので、配線７０１を外部から視認可能である。
【００９２】
また、この実施例では、検知部材として、発光部７５５ａと受光部７５５ｂとからなる一対の光センサ７５５を設けている。このように、検知部材は、導電性を有する一対の接触端子７５１ばかりではなく、光センサ７５５や近接センサなど、他のセンサであってもよい。
【００９３】
図１２（ｂ）は、配線収納ケース７００の更に他の実施例を示す概略正面図およびその断面である。この実施例では、後面側が開口する第１の収納樋７４０−１と、前面側が開口する第２の収納樋７４０−２を形成している。すなわち、第１の収納樋７４０−１では、前板部７２１の裏側に配線７０１ａを位置させ、第２の収納樋７４０−２では、前板部７２１の表側に配線７０１ｂを位置させている。
【００９４】
また、この実施例では、第１の収納樋７４０−１を形成している前板部７２１の表側に、コネクタ７０３を設け、このコネクタ７０３に第１の収納樋７４０−１に通した配線７０１ａを接続している。そして、このコネクタ７０３は、配線収納ケース７００に取り付けた所定部品ということができ、配線収納ケース７００は、コネクタ７０３を取り付け可能に構成されたものである。
【００９５】
一方、第２の収納樋７４０−２においては、前板部７２１の表側に配線７０１ｂを位置させているが、この配線７０１ｂが第２の収納樋７４０−２の側壁を形成している仕切り板７４５の高さより高くなることがないようになっている。このため、配線７０１ｂが外部に突出して他の部品や装置の邪魔になることがない。
【００９６】
この実施例による配線収納ケース７００によれば、配線７０１（７０１ａ、７０１ｂ）を、前板部７２１の表側と裏側とに振り分けて配置することができる。例えば、制御部とランプ類とを接続する配線など、不正機器が取り付けられるおそれの低い配線は、前板部７２１の表側に配置するようにし、制御部とメダル払出装置とを接続する配線など、不正機器が取り付けられるおそれの高い配線は、前板部７２１の裏側に配置するようにしてもよい。また、配線７０１に接続したコネクタ７０３を前板部７２１に取り付けることができる。したがって、合理的な配線処理が可能であるばかりではなく、コネクタ７０３と配線７０１との接続部分も露出することがないので、不正な機器を付加される恐れがなく、不正遊技に対する安全性が高い。また、このコネクタを介して他の装置との電気的な接続を容易に得ることができる。
【００９７】
前記した実施例においては、特定装置としてメダル払出装置１８０を適用した場合について説明したが、遊技台における他の電気的な装置を特定装置とすることもできる。すなわち、図１３に示すように、リールユニット１８５を特定装置とすることもできる。
【００９８】
なお、リールユニット１８５は、図１３に示すように、リール駆動ユニットを含むリール１１０〜１１２と、これらを収納するケース部材２２１とで構成されている。リール１１０〜１１２は、リール帯に印刷される絵柄の配列が異なるだけで、構造的には、いずれも同一の部品で構成されている。各リール１１０〜１１２は、それぞれ個別にケース部材２２１内に着脱可能に収納されている。
【００９９】
そして、ケース部材２２１の上面には基板部２２２が設けられ、この基板部２２２を介して図示していないハーネス、言い換えると配線７０１が、制御装置に接続されている。そこで、このハーネスすなわち配線７０１を、図示していない配線収納ケース７００に通して、制御装置へ接続する。なお、配線収納ケース７００の取付位置は、適宜に決定して取り付ければよい。
【０１００】
このような実施例によれば、リールユニット１８５に接続した配線７０１を、外部に曝すことなく処理可能になる。したがって、不正な機器を、配線７０１の途中に取り付けることが不可能であるので、不正遊技に対する安全性が著しく向上する。
【０１０１】
以上、本発明を図示の実施例について説明したが、本発明は前記した各実施例に限定されるものではなく、特許請求の範囲に記載した構成を変更しない限り適宜に実施できる。例えば、前記した各実施例では、遊技台として、本体に配設した複数種類の電気装置間の通信を配線により行なうスロットマシンについて説明したが、本発明を、筐体内に収設した複数種類の電気装置間の通信を行なうパチンコ機等の他の遊技台に適用することも可能である。
【０１０２】
すなわち、本発明は、前記したように、複数種類の図柄が施され、回転駆動される複数のリールと、リールの回転を指示するためのスタートレバーと、各々のリールに対応して設けられ、リールの回転を個別に停止させるための停止ボタンと、複数種類の役の内部当選の当否を抽選により判定する抽選手段（入賞役内部抽選）と、抽選手段の抽選結果に基づいてリールの回転の停止に関する停止制御を行うリール停止制御手段（リール停止制御処理）と、抽選手段の抽選結果に基づいて停止されたリールによって表示される図柄組合せが、内部当選した役に対応して予め定めた図柄組合せであるか否かの判定をする判定手段（入賞判定処理）と、図柄の停止態様が所定の入賞態様である場合、所定の入賞態様に対応する遊技媒体を払出す遊技媒体払出処理を行う払出制御手段（メダル払出処理）と、を備えた遊技台に適用することができる。
【０１０３】
また、詳しくは説明していないが、所定の遊技領域に球を発射する発射装置と、発射装置から発射された球を入球可能に構成された入賞口と、入賞口に入球した球を検知する検知手段と、検知手段が球を検知した場合に球を払出す払出手段と、所定の図柄(識別情報)を変動表示する可変表示装置を備え、入賞口に遊技球が入って入賞することを契機として、可変表示装置が図柄を変動させた後に停止表示させて、遊技状態の推移を告知するような遊技台に適用することもできる。
【符号の説明】
【０１０４】
１００  スロットマシン
１０１  キャビネット
１０２  前面扉
１１０  左リール
１１１  中リール
１１２  右リール
１３０  メダル投入ボタン
１３１  メダル投入ボタン
１３２  精算ボタン
１３３  メダル返却ボタン
１３４  メダル投入口
１３５  スタートレバー
１３７〜１３９  ストップボタン
１５５  メダル払出口
１５６  メダル受皿
１５７  液晶表示装置
１８０  メダル払出装置
１８１  メダルタンク
１９０  演出装置
３００  主制御部
４００  副制御部
７００  配線収納ケース
７０１  配線
７０２  コネクタ
７１１  底板部
７２１  前板部
７２２  背板部
７２３  壁板部
７３０  取付部
７３１  取付面部
７４０  収納樋
７４１  係止部
７４４  仕切り板
７４５  仕切り板
７５１  接触端子
７５２  取付ネジ
７５３  リード線
７５５  光センサ
【図１】
2011212471.tif 000003
【図２】
2011212471.tif 000004
【図３】
2011212471.tif 000005
【図４】
2011212471.tif 000006
【図５】
2011212471.tif 000007
【図６】
2011212471.tif 000008
【図７】
2011212471.tif 000009
【図８】
2011212471.tif 000010
【図９】
2011212471.tif 000011
【図１０】
2011212471.tif 000012
【図１１】
2011212471.tif 000013
【図１２】
2011212471.tif 000014
【図１３】
2011212471.tif 000015
【手続補正書】
【提出日】平成23年8月5日(2011.8.5)
【手続補正１】
【補正対象書類名】明細書
【補正対象項目名】０００９
【補正方法】変更
【補正の内容】
【０００９】  前記課題を解決するために、請求項１に係る発明は、メダルを収納する収納庫と、電線を収納するケースと、を備えた遊技台であって、前記収納庫は、遊技台本体を構成する底板の上に着脱自在に取り付けられ、前記ケースは、前記収納庫内のメダルを検知するための検知手段を構成するケースであり、当該ケースの所定位置に開設した取付ネジ孔に取付ネジを通し、該取付ネジを前記遊技台本体を構成している背板の固定孔にねじ込むことにより、前記遊技台本体に対して固定され、前記ケースを構成する前板部と、外壁部と、該外壁部の内側で前記前板部と前記遊技台本体の背板との間の空間を区画する内壁板部とを、透光性を有する材質で形成し、前記前板部は、前記検知手段を構成する検知部材が取付可能に構成され、前記内壁板部は、前記ケースの上下方向に延在し、下方で前記背板の中心線方向に向けて曲ることにより前記空間を区画し、前記検知部材は、導電性を有する金属で構成された接触端子であり、該接触端子の基端部分には圧着端子を介して電線が接続され、前記電線は、前記前板部の裏側であって前記内壁板部で区画された前記空間に収納され、前記所定位置は、前記ケースを前記遊技台本体の前記底板および前記背板に当接させた場合に、前記ケースの前記取付ネジ孔と前記背板の前記固定孔とが連通する孔になる位置であることを特徴とする。
【手続補正２】
【補正対象書類名】明細書
【補正対象項目名】００１０
【補正方法】変更
【補正の内容】
【００１０】  請求項２に係る発明は、請求項１に記載の遊技台であって、前記ケースに設けた内壁板部の奥行を、略１５〜２０ｍｍとしたことを特徴とする。
【手続補正３】
【補正対象書類名】明細書
【補正対象項目名】００１１
【補正方法】変更
【補正の内容】
【００１１】  請求項１に係る発明によれば、部品点数を増加させることなく、ケースを利用して検知部材を取り付けることができる。また、ケースにより配線処理を行えるので、本体内部に電線が錯綜することがない。
【手続補正４】
【補正対象書類名】明細書
【補正対象項目名】００１２
【補正方法】変更
【補正の内容】
【００１２】  請求項１に係る発明によれば、取り付けた検知部材を視認可能であり、万が一不正な改造が行なわれた場合に、容易に発見することができ、不正遊技を未然に防止することができる。
【手続補正５】
【補正対象書類名】明細書
【補正対象項目名】００１３
【補正方法】変更
【補正の内容】
【００１３】  請求項１に係る発明によれば、所定位置に取付可能なケースを介して検知部材を取り付けることができるので、被検知物に対応した多様な検知手段を構成することが可能になり、設計等が容易になる。また、ケースを所定位置に取り付けるときには、ケースの取付ネジ孔と遊技台本体の背板に設けた固定孔とが連通するので、ネジの取り付けが容易になり、作業性が向上する。
【手続補正６】
【補正対象書類名】明細書
【補正対象項目名】００１４
【補正方法】変更
【補正の内容】
【００１４】  請求項１に係る発明によれば、電線をケース内に収納して合理的な配線処理が可能になる。また、配線のためのスペースを別途に確保する必要がない。
【手続補正７】
【補正対象書類名】明細書
【補正対象項目名】００１５
【補正方法】変更
【補正の内容】
【００１５】  請求項１に係る発明によれば、メダルを検知する検知手段、およびこのための電線を、合理的に配置することができ、省スペース化が可能である。また、検知手段の取付作業も容易になるので、作業性が向上する。
【手続補正８】
【補正対象書類名】明細書
【補正対象項目名】００１６
【補正方法】変更
【補正の内容】
【００１６】  請求項１に係る発明によれば、ケースに収納した電線を、外部から視認可能であり、不正な改造等が付加された場合に、これを容易に発見することができるので、不正遊技に対する安全性が高い。また、不要な短絡等を防止することが可能であるので、安定した動作を得ることができる。
【手続補正９】
【補正対象書類名】明細書
【補正対象項目名】００１７
【補正方法】変更
【補正の内容】
【００１７】  請求項１に係る発明によれば、電線の収納作業が容易になり、一旦収納した電線を確実に保持可能である。したがって、電線が不用意に移動することもなく、合理的な配線処理と相俟って、実用的価値の高い遊技台を提供することができる。
【手続補正１０】
【補正対象書類名】特許請求の範囲
【補正対象項目名】全文
【補正方法】変更
【補正の内容】
【特許請求の範囲】
【請求項１】
メダルを収納する収納庫と、電線を収納するケースと、を備えた遊技台であって、  前記収納庫は、遊技台本体を構成する底板の上に着脱自在に取り付けられ、  前記ケースは、前記収納庫内のメダルを検知するための検知手段を構成するケースであり、当該ケースの所定位置に開設した取付ネジ孔に取付ネジを通し、該取付ネジを前記遊技台本体を構成している背板の固定孔にねじ込むことにより、前記遊技台本体に対して固定され、  前記ケースを構成する前板部と、外壁部と、該外壁部の内側で前記前板部と前記遊技台本体の背板との間の空間を区画する内壁板部とを、透光性を有する材質で形成し、  前記前板部は、前記検知手段を構成する検知部材が取付可能に構成され、  前記内壁板部は、前記ケースの上下方向に延在し、下方で前記背板の中心線方向に向けて曲ることにより前記空間を区画し、  前記検知部材は、導電性を有する金属で構成された接触端子であり、該接触端子の基端部分には圧着端子を介して電線が接続され、  前記電線は、前記前板部の裏側であって前記内壁板部で区画された前記空間に収納され、 前記所定位置は、前記ケースを前記遊技台本体の前記底板および前記背板に当接させた場合に、前記ケースの前記取付ネジ孔と前記背板の前記固定孔とが連通する孔になる位置であることを特徴とする遊技台。
【請求項２】
請求項１に記載の遊技台であって、  前記ケースに設けた内壁板部の奥行を、略１５〜２０ｍｍとしたことを特徴とする遊技台。